(57)【要約】【課題】  動的発色感度、地肌耐熱性、画像保存性（耐湿熱性、耐熱性、耐可塑剤性）に優れた記録材料や記録シートを提供すること。【解決手段】  発色性染料、４’−ヒドロキシ−２−[（４−ヒドロキシフェニル）スルファニル]アセトアニリド等の式（１）［Ｒ１及びＲ２は、水素原子又はアルキル基を表し、ａ１は１〜６の整数を、ｎ１は０、１又は２の整数を、ｍ１は０又は１〜３の整数を表す。Ｒ３及びＲ４は、ニトロ基、カルボキシル基、ハロゲン原子、アルキル基、アルケニル基、アルコキシ基、アルキルカルボニル基又はアルコキシカルボニル基を表し、ｍ２及びｍ３は０、１又は２の整数を表し、Ｙ１は、ＣＯ又はＮＲ５ＣＯ（式中、Ｒ５は、水素原子、アルキル基、フェニル基又はベンジル基を表す。）を表す。］で表される化合物、並びに、アニリド誘導体、スルホンアミド誘導体又はジフェニルスルホンを含有する記録材料とする。【化１】2007050516.tif 000043【特許請求の範囲】
【請求項１】
発色性染料の少なくとも１種、式（１）
【化１】
2007050516.tif 000040
〔式中、Ｒ１及びＲ２は、それぞれ独立して、水素原子又はＣ１〜Ｃ６アルキル基を表し、ａ１は、１〜６の整数を表し、ｎ１は、０、１又は２の整数を表し、ｍ１は、０又は１〜３の整数を表す。
Ｒ３及びＲ４は、それぞれ独立して、ニトロ基、カルボキシル基、ハロゲン原子、Ｃ１〜Ｃ６アルキル基、Ｃ２〜Ｃ６アルケニル基、Ｃ１〜Ｃ６アルコキシ基、Ｃ１〜Ｃ６アルキルカルボニル基又はＣ１〜Ｃ６アルコキシカルボニル基を表し、ｍ２及びｍ３は、それぞれ独立して、０、１又は２の整数を表し、ｍ２及びｍ３がそれぞれ２のとき、Ｒ３及びＲ４はそれぞれ異なってもよく、Ｙ１は、ＣＯ又はＮＲ５ＣＯ（式中、Ｒ５は、水素原子、Ｃ１〜Ｃ６アルキル基、置換基を有していてもよいフェニル基又は置換基を有していてもよいベンジル基を表す。）を表す。〕で表される化合物の少なくとも１種、並びに、下記（Ａ）成分を含有することを特徴とする記録材料。
（Ａ）成分：アニリド誘導体、スルホンアミド誘導体及びジフェニルスルホンからなる群から選ばれる少なくとも１種
【請求項２】
アニリド誘導体が式（２）
【化２】
2007050516.tif 000041
〔式中、Ｒ６はＣ１〜Ｃ１８アルキル基、Ｃ２〜Ｃ６アルケニル基、Ｃ１〜Ｃ６アルキルカルボニル−Ｃ１〜Ｃ６アルキレン基、置換基を有していてもよいアリール基又は置換基を有していてもよいアラルキル基を表し、Ｒ７は、水素原子、Ｃ１〜Ｃ６アルキル基、Ｃ２〜Ｃ６アルケニル基、置換基を有していてもよいアリール基又は置換基を有していてもよいアラルキル基を表し、Ｒ８は、ハロゲン原子、Ｃ１〜Ｃ６アルキル基、Ｃ２〜Ｃ６アルケニル基、Ｃ１〜Ｃ６アルコキシ基、Ｃ１〜Ｃ６アルキルカルボニル基、置換基を有していてもよいアリール基又は置換基を有していてもよいアラルキル基を表し、ｍ４は、０又は１〜５の整数を表し、ｍ４が２以上の整数のとき、Ｒ８は異なってもよい。〕で表される化合物であることを特徴とする請求項１記載の記録材料。
【請求項３】
式（２）で表される化合物がｐ−アセトトルイジドであることを特徴とする請求項２記載の記録材料。
【請求項４】
スルホンアミド誘導体が式（３）
【化３】
2007050516.tif 000042
［式中、Ｒ９は炭素数１〜６のアルキル基、或いは電子吸引性基を表し、ｘは０〜２の整数を表す。］で表される化合物であることを特徴とする請求項１記載の記録材料。
【請求項５】
式（３）で表される化合物が、ｏ−トルエンスルホンアミドであることを特徴とする請求項４記載の記録材料。
【請求項６】
（Ａ）成分が、前記式（１）で表される化合物１００重量部に対して、１０〜１０００重量部配合されてなることを特徴とする請求項１〜５いずれか記載の記録材料。
【請求項７】
基材シートと、該基材シート上に請求項１〜６いずれか記載の記録材料から形成されてなる記録材料層とを有する記録シート。
【発明の詳細な説明】
【技術分野】
【０００１】
本発明は、発色感度及び飽和濃度に優れ、かつ地肌耐熱性及び画像の保存安定性に優れた記録材料、及び基材シート上に該記録材料から形成されてなる記録材料層を有する記録シートに関する。
【背景技術】
【０００２】
発色性染料と顕色剤との反応による発色を利用した記録材料は、現像定着等の煩雑な処理を施すことなく比較的簡単な装置で短時間に記録できることから、ファクシミリ、プリンター等の出力記録のための感熱記録材料又は感圧複写材料等に広く使用されている。
【０００３】
これらの記録材料は、速やかに発色し、未発色部分（以下、「地肌」という。）の白度が保持され、かつ、発色した画像及び地肌の堅労性の高いものが要望されている。特に、近年においては、高速記録に対する要求が高くなり、高速記録に十分対応できる高感度の記録材料の開発が望まれている。一般に、感度が高くなると、地肌が着色する現象（いわゆる「地肌カブリ」）が生じたり、地肌の保存安定性が悪くなることから、最近、地肌カブリがなく、発色感度及び飽和濃度並びに地肌及び画像の保存性に優れる記録材料について数多くの提案がなされている。
【０００４】
例えば、記録材料及び記録シートに関して、ジフェニルスルホン架橋型化合物又はジフェニルスルホン架橋型化合物を２種以上含む組成物と、発色性染料を組み合わせた、画像保存安定性、特に耐光性、耐熱性に優れた記録材料（例えば、特許文献１参照。）や、発色性染料、新規な顕色剤及び置換基に少なくとも１つ以上の水酸基を持つジフェニルスルホン化合物のそれぞれ少なくとも１種を含有するものであって、地肌カブリがなく、動的発色感度が優れ、特に耐湿熱性、耐熱性、耐光性、耐可塑剤性、耐水性等に優れた記録材料及び記録シート（例えば、特許文献２参照。）が提案されている。      
【０００５】
また、白色性が高く、発色感度に優れ、発色濃度が高く、発色画像の保存安定性（耐湿性、耐熱性、耐光性）に優れた感熱記録材料であって、電子供与性発色性化合物および電子受容性化合物を含有する感熱記録材料において、電子受容性化合物としてビス（４−ヒドロキシフェニル）スルホキシド類を含有する感熱記録材料（例えば、特許文献３参照）や、発色性染料を含有する記録材料において、例えば、２’−ヒドロキシ−２−[（４−ヒドロキシフェニル）スルファニル]アセトアニリドと４’−ヒドロキシ−２−[（４−ヒドロキシフェニル）スルファニル]アセトアニリドとの顕色剤混合物に、アニリド誘導体を併用することで、発色感度に優れ、かつ地肌及び画像の保存安定性、特に地肌の耐熱性及び画像の耐光性に優れた記録材料、及び基材シート上に該記録材料から形成されてなる記録材料層を有する記録シート（例えば、特許文献４参照）や、前記顕色剤混合物にフェニルスルホンアミド誘導体やジフェニルスルホンを併用することが提案されている（例えば、特許文献５参照、特許文献６参照）。
【０００６】
【特許文献１】特開２０００−１０３１７３号公報
【特許文献２】特開２００２−３０１８７３号公報
【特許文献３】特願２００２−２０１２３号公報
【特許文献４】特開２００４−１３０５８４号公報
【特許文献５】特開２００４−１４２２７５号公報
【特許文献６】特開２００４−１４２２７６号公報
【発明の開示】
【発明が解決しようとする課題】
【０００７】
本発明の課題は、動的発色感度、飽和濃度、地肌耐熱性、画像保存性（耐湿熱性、耐熱性、耐可塑剤性）に優れた記録材料や記録シートを提供することにある。
【課題を解決するための手段】
【０００８】
本発明者らは、上記課題を解決するため鋭意研究し、４’−ヒドロキシ−２−[（４−ヒドロキシフェニル）スルファニル]アセトアニリドを顕色剤として用い、助剤としてｐ−アセトトルイジド、ｏ−トルエンスルホンアミド又はジフェニルスルホンを用いると、動的発色感度、飽和濃度、地肌耐熱性、画像保存性に優れた記録材料となることを見い出し、本発明を完成するに至った。
【０００９】
すなわち本発明は、［１］発色性染料の少なくとも１種、式（１）［式中、Ｒ１及びＲ２は、それぞれ独立して、水素原子又はＣ１〜Ｃ６アルキル基を表し、ａ１は、１〜６の整数を表し、ｎ１は、０、１又は２の整数を表し、ｍ１は、０又は１〜３の整数を表す。Ｒ３及びＲ４は、それぞれ独立して、ニトロ基、カルボキシル基、ハロゲン原子、Ｃ１〜Ｃ６アルキル基、Ｃ２〜Ｃ６アルケニル基、Ｃ１〜Ｃ６アルコキシ基、Ｃ１〜Ｃ６アルキルカルボニル基又はＣ１〜Ｃ６アルコキシカルボニル基を表し、ｍ２及びｍ３は、それぞれ独立して、０、１又は２の整数を表し、ｍ２及びｍ３がそれぞれ２のとき、Ｒ３及びＲ４はそれぞれ異なってもよく、Ｙ１は、ＣＯ又はＮＲ５ＣＯ（式中、Ｒ５は、水素原子、Ｃ１〜Ｃ６アルキル基、置換基を有していてもよいフェニル基又は置換基を有していてもよいベンジル基を表す。）を表す。］で表される化合物の少なくとも１種、並びに、（Ａ）成分（アニリド誘導体、スルホンアミド誘導体及びジフェニルスルホンからなる群から選ばれる少なくとも１種）を含有することを特徴とする記録材料に関する。
【００１０】
【化４】
2007050516.tif 000002
【００１１】
また本発明は、［２］アニリド誘導体が式（２）〔式中、Ｒ６はＣ１〜Ｃ１８アルキル基、Ｃ２〜Ｃ６アルケニル基、Ｃ１〜Ｃ６アルキルカルボニル−Ｃ１〜Ｃ６アルキレン基、置換基を有していてもよいアリール基又は置換基を有していてもよいアラルキル基を表し、Ｒ７は、水素原子、Ｃ１〜Ｃ６アルキル基、Ｃ２〜Ｃ６アルケニル基、置換基を有していてもよいアリール基又は置換基を有していてもよいアラルキル基を表し、Ｒ８は、ハロゲン原子、Ｃ１〜Ｃ６アルキル基、Ｃ２〜Ｃ６アルケニル基、Ｃ１〜Ｃ６アルコキシ基、Ｃ１〜Ｃ６アルキルカルボニル基、置換基を有していてもよいアリール基又は置換基を有していてもよいアラルキル基を表し、ｍ４は、０又は１〜５の整数を表し、ｍ４が２以上の整数のとき、Ｒ８は異なってもよい。〕で表される化合物であることを特徴とする上記［１］記載の記録材料に関する。
【００１２】
【化５】
2007050516.tif 000003
【００１３】
また本発明は、［３］式（２）で表される化合物がｐ−アセトトルイジドであることを特徴とする上記［２］記載の記録材料や、［４］スルホンアミド誘導体が式（３）［式中、Ｒ９は炭素数１〜６のアルキル基、或いは電子吸引性基を表し、ｘは０〜２の整数を表す。］で表される化合物であることを特徴とする上記［１］記載の記録材料に関する。
【００１４】
【化６】
2007050516.tif 000004
【００１５】
さらに本発明は、［５］式（３）で表される化合物が、ｏ−トルエンスルホンアミドであることを特徴とする上記［４］記載の記録材料や、［６］（Ａ）成分が、前記式（１）で表される化合物１００重量部に対して、１０〜１０００重量部配合されてなることを特徴とする上記［１］〜［５］いずれか記載の記録材料や、［７］基材シートと、該基材シート上に上記［１］〜［６］いずれか記載の記録材料から形成されてなる記録材料層とを有する記録シートに関する。
【発明の効果】
【００１６】
本発明によると、動的発色感度、飽和濃度、地肌耐熱性、画像保存性（耐湿熱性、耐熱性、耐可塑剤性）に優れた記録材料や記録シートを提供することができる。
【発明を実施するための最良の形態】
【００１７】
本発明の記録材料としては、発色性染料の少なくとも１種、式（１）〔式中、Ｒ１及びＲ２は、それぞれ独立して、水素原子又はＣ１〜Ｃ６アルキル基を表し、ａ１は、１〜６の整数を表し、ｎ１は、０、１又は２の整数を表し、ｍ１は、０又は１〜３の整数を表す。Ｒ３及びＲ４は、それぞれ独立して、ニトロ基、カルボキシル基、ハロゲン原子、Ｃ１〜Ｃ６アルキル基、Ｃ２〜Ｃ６アルケニル基、Ｃ１〜Ｃ６アルコキシ基、Ｃ１〜Ｃ６アルキルカルボニル基又はＣ１〜Ｃ６アルコキシカルボニル基を表し、ｍ２及びｍ３は、それぞれ独立して、０、１又は２の整数を表し、ｍ２及びｍ３がそれぞれ２のとき、Ｒ３及びＲ４はそれぞれ異なってもよく、Ｙ１は、ＣＯ又はＮＲ５ＣＯ（式中、Ｒ５は、水素原子、Ｃ１〜Ｃ６アルキル基、置換基を有していてもよいフェニル基又は置換基を有していてもよいベンジル基を表す。）を表す。〕で表される化合物の少なくとも１種、並びに、（Ａ）成分［アニリド誘導体、スルホンアミド誘導体及びジフェニルスルホンからなる群から選ばれる少なくとも１種］を含有するものであれば特に制限されず、上記発色性染料としては、酸性物質である顕色剤と接触することにより発色する発色性染料であれば特に制限はなく、具体例には、フルオラン系、フタリド系、ラクタム系、トリフェニルメタン系、フェノチアジン系、スピロピラン系等のロイコ染料を挙げることができ、中でもフルオラン系、フタリド系を好適に例示することができる。
【００１８】
フルオラン系の発色性染料としては、例えば、３−ジエチルアミノ−６−メチル−７−アニリノフルオラン、３−ジブチルアミノ−６−メチル−７−アニリノフルオラン、３−（Ｎ−エチル−Ｎ−イソブチルアミノ）−６−メチル−７−アニリノフルオラン、３−（Ｎ−メチル−Ｎ−プロピルアミノ）−６−メチル−７−アニリノフルオラン、３−（Ｎ−エチル−Ｎ−イソペンチルアミノ）−６−メチル−７−アニリノフルオラン、３−ジエチルアミノ−７−（ｏ−クロロアニリノ）フルオラン、３−ジブチルアミノ−７−（ｏ−クロロアニリノ）フルオラン、３−（Ｎ−エチル−ｐ−トルイジノ）−６−メチル−７−アニリノフルオラン、３−（Ｎ−シクロヘキシル−Ｎ−メチルアミノ）−６−メチル−７−アニリノフルオラン、３−ピロリジノ−６−メチル−７−アニリノフルオラン、３−ピペリジノ−６−メチル−７−アニリノフルオラン、３−ジメチルアミノ−７−（ｍ−トリフロロメチルアニリノ）フルオラン、３−ジペンチルアミノ−６−メチル−７−アニリノフルオラン、３−（Ｎ−エトキシプロピル−Ｎ−エチルアミノ）−６−メチル−７−アニリノフルオラン、３−ジブチルアミノ−７−（ｏ−フロロアニリノ）フルオラン、３−ジエチルアミノベンゾ［ａ］フルオラン、３−ジメチルアミノ−６−メチル−７−クロロフルオラン、３−ジエチルアミノ−５−メチル−７−ジベンジルアミノフルオラン、３−ジエチルアミノ−７−ジベンジルアミノフルオラン、３−ジエチルアミノ−５−クロロフルオラン、３−ジエチルアミノ−６−（Ｎ，Ｎ’−ジベンジルアミノ）フルオラン、３，６−ジメトキシフルオラン、２，４−ジメチル−６−（４−ジメチルアミノフェニル）アミノフルオラン等を挙げることができる。  
【００１９】
また、フタリド系の発色性染料としては、３−｛４−［４−（４−アニリノ）−アニリノ］アニリノ｝−６−メチル−７−クロロフルオラン、３，３−ビス［２−（４−ジメチルアミノフェニル）−２−（４−メトキシフェニル）ビニル］−４，５，６，７−テトラクロロフタリド、３，６，６’−トリス（ジメチルアミノ）スピロ（フルオレン−９，３’−フタリド）、３，３−ビス（４’−ジエチルアミノフェニル）−６−ジエチルアミノフタリド等を挙げることができる。
【００２０】
これらの中でも、３−ジエチルアミノ−６−メチル−７−アニリノフルオラン、３−ジブチルアミノ−６−メチル−７−アニリノフルオラン、３−（Ｎ−エチル−Ｎ−イソブチルアミノ）−６−メチル−７−アニリノフルオラン、３−（Ｎ−メチル−Ｎ−プロピルアミノ）−６−メチル−７−アニリノフルオラン、３−（Ｎ−エチル−Ｎ−イソペンチルアミノ）−６−メチル−７−アニリノフルオラン、３−ジエチルアミノ−７−（ｏ−クロロアニリノ）フルオラン、３−ジブチルアミノ−７−（ｏ−クロロアニリノ）フルオラン、３−（Ｎ−エチル−ｐ−トルイジノ）−６−メチル−７−アニリノフルオラン、３−（Ｎ−シクロヘキシル−Ｎ−メチルアミノ）−６−メチル−７−アニリノフルオラン、３−ピロリジノ−６−メチル−７−アニリノフルオラン、３−ピペリジノ−６−メチル−７−アニリノフルオラン、３−ジメチルアミノ−７−（ｍ−トリフロロメチルアニリノ）フルオラン、３−ジペンチルアミノ−６−メチル−７−アニリノフルオラン、３−（Ｎ−エトキシプロピル−Ｎ−エチルアミノ）−６−メチル−７−アニリノフルオラン、３−ジブチルアミノ−７−（ｏ−フロロアニリノ）フルオラン、３−ジエチルアミノベンゾ［ａ］フルオラン、３−ジメチルアミノ−６−メチル−７−クロロフルオラン、３−ジエチルアミノ−５−メチル−７−ジベンジルアミノフルオラン、３−ジエチルアミノ−７−ジベンジルアミノフルオラン、３−ジエチルアミノ−５−クロロフルオラン、３−ジエチルアミノ−６−（Ｎ，Ｎ’−ジベンジルアミノ）フルオラン、３，６−ジメトキシフルオラン、２，４−ジメチル−６−（４−ジメチルアミノフェニル）アミノフルオラン等のフルオラン系の発色性染料が好ましく、３−ジエチルアミノ−６−メチル−７−アニリノフルオラン、３−ジブチルアミノ−６−メチル−７−アニリノフルオラン、３−（Ｎ−エチル−Ｎ−イソブチルアミノ）−６−メチル−７−アニリノフルオラン、３−（Ｎ−メチル−Ｎ−プロピルアミノ）−６−メチル−７−アニリノフルオラン、３−（Ｎ−エチル−Ｎ−イソペンチルアミノ）−６−メチル−７−アニリノフルオラン、３−（Ｎ−シクロヘキシル−Ｎ−メチルアミノ）−６−メチル−７−アニリノフルオランがより好ましい。  
【００２１】
これらの発色性染料は、単独で使用してその発色する色の記録材料を得ることができることは勿論であるが、それらの２種以上を混合して使用することもできる。例えば、赤色、青色、緑色の３原色の発色性染料又は黒色染料を混合使用して真に黒色に発色する記録材料を製造することができる。  
【００２２】
上記式（１）で表される化合物は、顕色剤として使用される。式（１）中、Ｒ1及びＲ2は、それぞれ独立して水素原子；メチル、エチル、ｎ−プロピル、イソプロピル、ｎ−ブチル、ｔ−ブチル基等のＣ１〜Ｃ６アルキル基を表す。ａ1は１〜６の整数を表し、ｎ1は０、１又は２を表す。ｍ1は０又は１〜３の整数を表す。Ｒ3及びＲ4は、それぞれ独立して、ニトロ基；カルボキシル基；フッ素、塩素、臭素、ヨウ素原子等のハロゲン原子；メチル、エチル、ｎ−プロピル、イソプロピル、ｎ−ブチル、ｔ−ブチル基等のＣ１〜Ｃ６アルキル基；プロペニル、イソプロペニル、ブテニル基等のＣ２〜Ｃ６アルケニル基を表す。ｍ2及びｍ3は、それぞれ独立して０、１又は２を表し、Ｙ1は、ＣＯ又はＮＲ5ＣＯを表す。Ｒ5は、水素原子；メチル、エチル、ｎ−プロピル、イソプロピル、ｎ−ブチル、ｔ−ブチル基等のＣ１〜Ｃ６アルキル基を表す。
【００２３】
これらの中でも、本発明においては、式（１）中、Ｙ1がＮＲ5ＣＯである化合物が好ましく、Ｙ1がＮＨＣＯである化合物であるのがより好ましい。かかる式（１）で表される化合物としては、例えば、４’−ヒドロキシ−２−[（４−ヒドロキシフェニル）スルファニル]アセトアニリド、４’−ヒドロキシ−２−[（３−ヒドロキシフェニル）スルファニル]アセトアニリド、４’−ヒドロキシ−２−[（２−ヒドロキシフェニル）スルファニル]アセトアニリド等を挙げることができる。
【００２４】
上記（Ａ）成分におけるアニリド誘導体としては、式（２）〔式中、Ｒ6は、Ｃ１〜Ｃ１８アルキル基、Ｃ２〜Ｃ６アルケニル基、Ｃ１〜Ｃ６アルキルカルボニル−Ｃ１〜Ｃ６アルキレン基、置換基を有していてもよいアリール基又は置換基を有していてもよいアラルキル基を表し、Ｒ７は、水素原子、Ｃ１〜Ｃ６アルキル基、Ｃ２〜Ｃ６アルケニル基、置換基を有していてもよいアリール基又は置換基を有していてもよいアラルキル基を表し、Ｒ8は、ハロゲン原子、Ｃ１〜Ｃ６アルキル基、Ｃ２〜Ｃ６アルケニル基、Ｃ１〜Ｃ６アルコキシ基、Ｃ１〜Ｃ６アルキルカルボニル基、置換基を有していてもよいアリール基又は置換基を有していてもよいアラルキル基を表し、ｍ４は、０又は１〜５の整数を表し、ｍ４が２以上の整数のとき、Ｒ8は異なってもよい。〕で表されるアニリド誘導体が好ましい。
【００２５】
式（２）中、Ｒ6は、メチル、エチル、ｎ−プロピル、イソプロピル、ｎ−ブチル、ｔ−ブチル、ｎ−ペンチル、ｎ−ヘキシル、ｎ−ヘプチル、ｎ−オクチル、ｎ−ノニル、ｎ−デシル、ｎ−ウンデシル、ｎ−ドデシル、ｎ−トリデシル、ｎ−テトラデシル、ｎ−ペンタデシル、ｎ−ヘキサデシル、ｎ−ヘプタデシル、ｎ−オクタデシル基等のＣ１〜Ｃ１８アルキル基；プロペニル、イソプロペニル、ブテニル基等のＣ２〜Ｃ６アルケニル基；メチルカルボニルメチレン、エチルカルボニルメチレン、ｎ−プロピルカルボニルメチレン、イソプロピルカルボニルメチレン、メチルカルボニルエチレン、メチルカルボニルプロピレン、エチルカルボニルエチレン等のＣ１〜Ｃ６アルキルカルボニル−Ｃ１〜Ｃ６アルキレン基；フェニル、ナフチル、ピリジル基等のアリール基；ベンジル、フェネチル基等のアラルキル基を表し、Ｒ7は、水素原子；メチル、エチル、ｎ−プロピル、イソプロピル、ｎ−ブチル、ｔ−ブチル基等のＣ１〜Ｃ６アルキル基；プロペニル、イソプロペニル、ブテニル基等のＣ２〜Ｃ６アルケニル基；フェニル、ナフチル、ピリジル基等のアリール基；ベンジル、フェネチル基等のアラルキル基を表し、Ｒ8は、フッ素、塩素、臭素、ヨウ素原子等のハロゲン原子；メチル、エチル、ｎ−プロピル、イソプロピル、ｎ−ブチル、ｔ−ブチル基等のＣ１〜Ｃ６アルキル基；プロペニル、イソプロペニル、ブテニル基等のＣ２〜Ｃ６アルケニル基；メトキシ、エトキシ、ｎ−プロポキシ、イソプロポキシ、ｎ−ブトキシ、ｔ−ブトキシ基等のＣ１〜Ｃ６アルコキシ基；メチルカルボニル、エチルカルボニル、ｎ−プロピルカルボニル、イソプロピルカルボニル、ｎ−ブチルカルボニル、ｔ−ブチルカルボニル基等のＣ１〜Ｃ６アルキルカルボニル基、フェニル、ナフチル、ピリジル基等のアリール基；ベンジル、フェネチル基等のアラルキル基を表す。また、Ｒ6、Ｒ7又はＲ8で表される置換基として、アリール基又はアラルキル基が置換基を有していてもよいとあるのは、アリール基又はアラルキル基のベンゼン環、ナフタレン環又はピリジン環はさらに置換基を有していてもよく、このような置換基として、フッ素、塩素、臭素、ヨウ素原子等のハロゲン原子；メチル、エチル、ｎ−プロピル、イソプロピル、ｎ−ブチル、ｔ−ブチル基等のＣ１〜Ｃ６アルキル基；プロペニル、イソプロペニル、ブテニル基等のＣ２〜Ｃ６アルケニル基を挙げることができる。
【００２６】
かかる式（２）で表される化合物としては、アセト酢酸アニリド、ｐ−アセトトルイジド、ｏ−アセトトルイジド、ｍ−アセトトルイジド、ｏ−アセトアニシジド、ｍ−アセトアニシジド、ｐ−アセトアニシジド、Ｎ−アセトアセチル−ｏ−トルイジン、Ｎ−アセトアセチル−ｍ−トルイジン、Ｎ−アセトアセチル−ｐ−トルイジン、Ｎ−メチルアセトアニリド、ｏ−アセトアセトアニシジド、ｍ−アセトアセトアニシジド、ｐ−アセトアセトアニシジド、ステアリン酸アニリド等を挙げることができ、これらは１種又は２種以上を混合して使用することもできる。これらの中でも、ｐ−アセトトルイジドが好ましい。
【００２７】
上記（Ａ）成分におけるスルホンアミド誘導体としては、式（３）［式中、Ｒ９は炭素数１〜６のアルキル基、或いはハロゲン原子、アルコキシ基等の電子吸引性基を表し、ｘは０〜２の整数を表す。］で表されるスルホンアミド誘導体が好ましい。具体例としては次に示す（４−１）〜（４−３０）で示されるスルホンアミド誘導体を挙げることができるが、中でも、（４−２）で表されるオルトトルエンスルホンアミド、（４−４）で表されるパラトルエンスルホンアミドなどを好適に例示することができる。
【００２８】
【化７】
2007050516.tif 000005
2007050516.tif 000006
2007050516.tif 000007
2007050516.tif 000008
2007050516.tif 000009
2007050516.tif 000010
2007050516.tif 000011
【００２９】
【化８】
2007050516.tif 000012
2007050516.tif 000013
2007050516.tif 000014
2007050516.tif 000015
2007050516.tif 000016
2007050516.tif 000017
【００３０】
【化９】
2007050516.tif 000018
2007050516.tif 000019
2007050516.tif 000020
2007050516.tif 000021
2007050516.tif 000022
2007050516.tif 000023
【００３１】
【化１０】
2007050516.tif 000024
2007050516.tif 000025
2007050516.tif 000026
2007050516.tif 000027
2007050516.tif 000028
2007050516.tif 000029
【００３２】
【化１１】
2007050516.tif 000030
2007050516.tif 000031
2007050516.tif 000032
2007050516.tif 000033
2007050516.tif 000034
【００３３】
また、本発明の記録材料としては、前記（Ａ）成分が、前記式（１）で表される化合物１００重量部に対して、１０〜１０００重量部、好ましくは２０〜２００重量部、より好ましくは３０〜１００重量部配合されているものが好ましい。本発明の記録材料は、例えば、感熱記録材料又は感圧複写材料等に利用することができるが、本発明の記録材料の中には、発色性染料、前記式（１）で表される化合物、前記成分（Ａ）以外に、公知の画像安定剤、増感剤、填料、分散剤、酸化防止剤、減感剤、粘着防止剤、消泡剤、光安定剤、蛍光増白剤等を必要に応じ１種又は２種以上含有させることができる。本発明の記録材料においては、前記式（１）で表される化合物以外の顕色剤を併用してもよいが、顕色剤の種類によっては地肌の耐熱性が劣化する可能性があるので、前記式（１）で表される化合物以外の顕色剤を含有しないものが好ましい場合もある。
【００３４】
これらの薬剤は、発色層中に含有せしめてもよいが、多層構造からなる場合には、例えば保護層等任意の層中に含有せしめてもよい。特に、発色層の上部及び／又は下部にオーバーコート層やアンダーコート層を設けた場合、これらの層には酸化防止剤、光安定剤等を含有させることができる。さらに、酸化防止剤、光安定剤は必要に応じマイクロカプセルに内包するかたちで、これらの層に含有させることができる。
【００３５】
他の顕色剤としては、感熱記録材料用のものと、感圧記録材料用のものが挙げられるが、前者としては、例えば、ビスフェノールＡ、４，４’−ｓｅｃ−ブチリデンビスフェノール、４，４’−シクロヘキシリデンビスフェノール、２，２−ジメチル−３，３−ビス（４−ヒドロキシフェニル）ブタン、２，２’−ジヒドロキシジフェニル、ペンタメチレン−ビス（４−ヒドロキシベンゾエート）、２，２−ジメチル−３，３−ジ（４−ヒドロキシフェニル）ペンタン、２，２−ジ（４−ヒドロキシフェニル）ヘキサン等のビスフェノール化合物；４，４’−ジヒドロキシジフェニルチオエーテル、１，７−ジ（４−ヒドロキシフェニルチオ）−３，５−ジオキサヘプタン、２，２’−ビス（４−ヒドロキシフェニルチオ）ジエチルエーテル、４，４’−ジヒドロキシ−３，３’−ジメチルジフェニルチオエーテル等の含硫黄ビスフェノール化合物；４−ヒドロキシ安息香酸ベンジル、４−ヒドロキシ安息香酸エチル、４−ヒドロキシ安息香酸プロピル、４−ヒドロキシ安息香酸イソプロピル、４−ヒドロキシ安息香酸ブチル、４−ヒドロキシ安息香酸イソブチル、４−ヒドロキシ安息香酸クロロベンジル、４−ヒドロキシ安息香酸メチルベンジル、４−ヒドロキシ安息香酸ジフェニルメチル等の４−ヒドロキシ安息香酸エステル類；安息香酸亜鉛、４−ニトロ安息香酸亜鉛等の安息香酸金属塩、４−［２−（４−メトキシフェニルオキシ）エチルオキシ］サリチル酸等のサリチル酸類；サリチル酸亜鉛、ビス［４−（オクチルオキシカルボニルアミノ）−２−ヒドロキシ安息香酸］亜鉛等のサリチル酸金属塩；４，４’−ジヒドロキシジフェニルスルホン、２，４’−ジヒドロキシジフェニルスルホン、４−ヒドロキシ−４’−メチルジフェニルスルホン、４−ヒドロキシ−４’−イソプロポキシジフェニルスルホン、４−ヒドロキシ−４’−ブトキシジフェニルスルホン、４，４’−ジヒドロキシ−３，３’−ジアリルジフェニルスルホン、３，４−ジヒドロキシ−４’−メチルジフェニルスルホン、４，４’−ジヒドロキシ−３，３’，５，５’−テトラブロモジフェニルスルホン、４−アリルオキシ−４’−ヒドロキシジフェニルスルホン等のヒドロキシスルホン類；４−ヒドロキシフタル酸ジメチル、４−ヒドロキシフタル酸ジシクロヘキシル、４−ヒドロキシフタル酸ジフェニル等の４−ヒドロキシフタル酸ジエステル類；２−ヒドロキシ−６−カルボキシナフタレン等のヒドロキシナフトエ酸のエステル類；トリブロモメチルフェニルスルホン等のトリハロメチルスルホン類；４，４’−ビス（ｐ−トルエンスルホニルアミノカルボニルアミノ）ジフェニルメタン等のスルホニルウレア類；ヒドロキシアセトフェノン、ｐ−フェニルフェノール、４−ヒドロキシフェニル酢酸ベンジル、ｐ−ベンジルフェノール、ハイドロキノン−モノベンジルエーテル、２，４−ジヒドロキシ−２’−メトキシベンズアニリド、テトラシアノキノジメタン類；又は下記式（５）で表されるジフェニルスルホン架橋型化合物若しくはそれらの混合物等が挙げられる。
【００３６】
【化１２】
2007050516.tif 000035
【００３７】
また、感圧記録材料用の顕色剤としては、例えば、酸性白土、活性白土、アパタルジャイト、ベントナイト、コロイダルシリカ、珪酸アルミニウム、珪酸マグネシウム、珪酸亜鉛、珪酸錫、焼成カオリン、タルク等の無機酸性物質；シュウ酸、マレイン酸、酒石酸、クエン酸、コハク酸、ステアリン酸等の脂肪族カルボン酸；安息香酸、ｐ−ｔ−ブチル安息香酸、フタル酸、没食子酸、サリチル酸、３−イソプロピルサリチル酸、３−フェニルサリチル酸、３−シクロヘキシルサリチル酸、３，５−ジ−ｔ−ブチルサリチル酸、３−メチル−５−ベンジルサリチル酸、３−フェニル−５−（２，２−ジメチルベンジル）サリチル酸、３，５−ジ−（２−メチルベンジル）サリチル酸、２−ヒドロキシ−１−ベンジル−３−ナフトエ酸等の芳香族カルボン酸；これら芳香族カルボン酸の亜鉛、マグネシウム、アルミニウム、チタン等の金属塩；ｐ−フェニルフェノール−ホルマリン樹脂、ｐ−ブチルフェノール−アセチレン樹脂等のフェノール樹脂系顕色剤；これらフェノール樹脂系顕色剤と上記芳香族カルボン酸の金属塩との混合物等を挙げることができる。
【００３８】
画像保存安定剤としては、例えば、４−ベンジルオキシ−４’−（２−メチルグリシジルオキシ）−ジフェニルスルホン、４，４’−ジグリシジルオキシジフェニルスルホン等のエポキシ基含有ジフェニルスルホン類；１，４−ジグリシジルオキシベンゼン、４−［α−（ヒドロキシメチル）ベンジルオキシ］−４’−ヒドロキシジフェニルスルホン、２−プロパノール誘導体、サリチル酸誘導体、オキシナフトエ酸誘導体の金属塩（特に亜鉛塩）、２，２−メチレンビス（４，６−ｔ−ブチルフェニル）フォスフェイトの金属塩、その他水不溶性の亜鉛化合物等を挙げることができる。
【００３９】
増感剤としては、例えば、ステアリン酸アミド等の高級脂肪酸アミド；ベンズアミド、チオアセトアニリド；イソフタル酸ジメチル、テレフタル酸ジメチル、イソフタル酸ジエチル、イソフタル酸ジフェニル、テレフタル酸ジベンジル等のフタル酸ジエステル類；シュウ酸ジベンジル、シュウ酸ジ（４−メチルベンジル）、シュウ酸ジ（４−クロロベンジル）、ビス（ｔ−ブチルフェノール）類；４，４’−ジメトキシジフェニルスルホン、４，４’−ジエトキシジフェニルスルホン、４，４’−ジプロポキシジフェニルスルホン、４，４’−ジイソプロポキシジフェニルスルホン、４，４’−ジブトキシジフェニルスルホン、４，４’−ジイソブトキシジフェニルスルホン、４，４’−ジペンチルオキシジフェニルスルホン、４，４’−ジヘキシルオキシジフェニルスルホン等の４，４’−ジヒドロキシジフェニルスルホンのジエーテル類；２，４’−ジメトキシジフェニルスルホン、２，４’−ジエトキシジフェニルスルホン、２，４’−ジプロポキシジフェニルスルホン、２，４’−ジイソプロポキシジフェニルスルホン、２，４’−ジブトキシジフェニルスルホン、２，４’−ジイソブトキシジフェニルスルホン、２，４’−ジペンチルオキシジフェニルスルホン、２，４’−ジヘキシルオキシジフェニルスルホン等の２，４’−ジヒドロキシジフェニルスルホンのジエーテル類；１，２−ビス（フェノキシ）エタン、１，２−ビス（４−メチルフェノキシ）エタン、１，２−ビス（３−メチルフェノキシ）エタン、１，２−ビス（フェノキシメチル）ベンゼン、２−ナフトールベンジルエーテル、ジフェニルアミン、カルバゾール、２，３−ジ−ｍ−トリルブタン、４−ベンジルビフェニル、４，４’−ジメチルビフェニル、ｍ−ターフェニル、ジ−β−ナフチルフェニレンジアミン、１−ヒドロキシ−ナフトエ酸フェニル、２−ナフチルベンジルエーテル、４−メチルフェニル−ビフェニルエーテル、２，２−ビス（３，４−ジメチルフェニル）エタン、２，３，５，６−テトラメチル−４’−メチルジフェニルメタン、炭酸ジフェニル、４−アセチルビフェニル等を挙げることができる。
【００４０】
填料としては、例えば、シリカ、クレー、カオリン、焼成カオリン、タルク、サテンホワイト、水酸化アルミニウム、炭酸カルシウム、炭酸マグネシウム、酸化亜鉛、酸化チタン、硫酸バリウム、珪酸マグネシウム、珪酸アルミニウム、プラスチックピグメント等を挙げることができる。これらの中でも、アルカリ土類金属の塩、中でも、炭酸カルシウム、炭酸マグネシウム等の炭酸塩を好適に例示することができる。
【００４１】
分散剤としては、例えば、スルホコハク酸ジオクチルナトリウム等のスルホコハク酸エステル類、ドデシルベンゼンスルホン酸ナトリウム、ラウリルアルコール硫酸エステルのナトリウム塩、脂肪酸塩等を挙げることができる。
【００４２】
酸化防止剤としては、例えば、２，２’−メチレンビス（４−メチル−６−ｔ−ブチルフェノール）、２，２’−メチレンビス（４−エチル−６−ｔ−ブチルフェノール）、４，４’−プロピルメチレンビス（３−メチル−６−ｔ−ブチルフェノール）、４，４’−ブチリデンビス（３−メチル−６−ｔ−ブチルフェノール）、４，４’−チオビス（２−ｔ−ブチル−５−メチルフェノール）、１，１，３−トリス（２−メチル−４−ヒドロキシ−５−ｔ−ブチルフェニル）ブタン、１，１，３−トリス（２−メチル−４−ヒドロキシ−５−シクロヘキシルフェニル）ブタン、４−｛４−［１，１−ビス（４−ヒドロキシフェニル）エチル］−α，α−ジメチルベンジル｝フェノール等を挙げることができる。
【００４３】
減感剤としては、例えば、脂肪族高級アルコール、ポリエチレングリコール、
グアニジン誘導体等を、また、粘着防止剤としては、例えば、ステアリン酸、ステアリン酸亜鉛、ステアリン酸カルシウム、カルナウバワックス、パラフィンワックス、エステルワックス等を挙げることができる。
【００４４】
光安定剤としては、例えば、フェニルサリシレート、ｐ−ｔ−ブチルフェニルサリシレート、ｐ−オクチルフェニルサリシレート等のサリチル酸系紫外線吸収剤；２，４−ジヒドロキシベンゾフェノン、２−ヒドロキシ−４−メトキシベンゾフェノン、２−ヒドロキシ−４−ベンジルオキシベンゾフェノン、２−ヒドロキシ−４−オクチルオキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン、ビス（２−メトキシ−４−ヒドロキシ−５−ベンゾイルフェニル）メタン等のベンゾフェノン系紫外線吸収剤；２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’，５’−ジ−ｔ−アミルフェニル）ベンゾトリアゾール、２−［２’−ヒドロキシ−３’−（３''，４''，５''，６''−テトラヒドロフタルイミドメチル）−５’−メチルフェニル］ベンゾトリアゾール、２−（２’−ヒドロキシ−５’−ｔ−オクチルフェニル）ベンゾトリアゾール、２−［２’−ヒドロキシ−３’，５’−ビス（α，α−ジメチルベンジル）フェニル］−２Ｈ−ベンゾトリアゾール、２−（２’−ヒドロキシ−３’−ドデシル−５’−メチルフェニル）ベンゾトリアゾール、２−（２’−ヒドロキシ−３’−ウンデシル−５’−メチルフェニル）ベンゾトリアゾール、２−（２’−ヒドロキシ−３’−トリデシル−５’−メチルフェニル）ベンゾトリアゾール、２−（２’−ヒドロキシ−３’−テトラデシル−５’−メチルフェニル）ベンゾトリアゾール、２−（２’−ヒドロキシ−３’−ペンタデシル−５’−メチルフェニル）ベンゾトリアゾール、２−（２’−ヒドロキシ−３’−ヘキサデシル−５’−メチルフェニル）ベンゾトリアゾール、２−［２’−ヒドロキシ−４’−（２''−エチルヘキシル）オキシフェニル］ベンゾトリアゾール、２−［２’−ヒドロキシ−４’−（２''−エチルヘプチル）オキシフェニル］ベンゾトリアゾール、２−［２’−ヒドロキシ−４’−（２''−エチルオクチル）オキシフェニル］ベンゾトリアゾール、２−［２’−ヒドロキシ−４’−（２''−プロピルオクチル）オキシフェニル］ベンゾトリアゾール、２−［２’−ヒドロキシ−４’−（２''−プロピルヘプチル）オキシフェニル］ベンゾトリアゾール、２−［２’−ヒドロキシ−４’−（２''−プロピルヘキシル）オキシフェニル］ベンゾトリアゾール、２−［２’−ヒドロキシ−４’−（１''−エチルヘキシル）オキシフェニル］ベンゾトリアゾール、２−［２’−ヒドロキシ−４’−（１''−エチルヘプチル）オキシフェニル］ベンゾトリアゾール、２−［２’−ヒドロキシ−４’−（１’−エチルオクチル）オキシフェニ��］ベンゾトリアゾール、２−［２’−ヒドロキシ−４’−（１''−プロピルオクチル）オキシフェニル］ベンゾトリアゾール、２−［２’−ヒドロキシ−４’−（１''−プロピルヘプチル）オキシフェニル］ベンゾトリアゾール、２−［２’−ヒドロキシ−４’−（１''−プロピルヘキシル）オキシフェニル］ベンゾトリアゾール、２，２’−メチレンビス［４−（１，１，３，３−テトラメチルブチル）−６−（２Ｈ−ベンゾトリアゾール−２−イル）］フェノール、ポリエチレングリコールとメチル−３−［３−ｔ−ブチル−５−（２Ｈ−ベンゾトリアゾール−２−イル）−４−ヒドロキシフェニル］プロピオネートとの縮合物等のベンゾトリアゾール系紫外線吸収剤；２’−エチルヘキシル−２−シアノ−３，３−ジフェニルアクリレート、エチル−２−シアノ−３，３−ジフェニルアクリレート等のシアノアクリレート系紫外線吸収剤；ビス（２，２，６，６−テトラメチル−４−ピペリジル）セバケート、コハク酸−ビス（２，２，６，６−テトラメチル−４−ピペリジル）エステル、２−（３，５−ジ−ｔ−ブチル）マロン酸−ビス（１，２，２，６，６−ペンタメチル−４−ピペリジル）エステル等のヒンダードアミン系紫外線吸収剤；１，８−ジヒドロキシ−２−アセチル−３−メチル−６−メトキシナフタレン等を挙げることができる。
【００４５】
蛍光増白剤としては、例えば、４，４’−ビス［２−アニリノ−４−（２−ヒドロキシエチル）アミノ−１，３，５−トリアジニル−６−アミノ］スチルベン−２，２’−ジスルホン酸＝二ナトリウム塩、４，４’−ビス［２−アニリノ−４−ビス（ヒドロキシエチル）アミノ−１，３，５−トリアジニル−６−アミノ］スチルベン−２，２’−ジスルホン酸＝二ナトリウム塩、４，４’−ビス［２−メトキシ−４−（２−ヒドロキシエチル）アミノ−１，３，５−トリアジニル−６−アミノ］スチルベン−２，２’−ジスルホン酸＝二ナトリウム塩、４，４’−ビス［２−メトキシ−４−（２−ヒドロキシプロピル）アミノ−１，３，５−トリアジニル−６−アミノ］スチルベン−２，２’−ジスルホン酸＝二ナトリウム塩、４，４’−ビス［２−ｍ−スルホアニリノ−４−ビス（ヒドロキシエチル）アミノ−１，３，５−トリアジニル−６−アミノ］スチルベン−２，２’−ジスルホン酸＝二ナトリウム塩、４−［２−ｐ−スルホアニリノ−４−ビス（ヒドロキシエチル）アミノ−１，３，５−トリアジニル−６−アミノ］−４’−［２−ｍ−スルホアニリノ−４−ビス（ヒドロキシエチル）アミノ−１，３，５−トリアジニル−６−アミノ］スチルベン−２，２’−ジスルホン酸＝四ナトリウム塩、４，４’−ビス［２−ｐ−スルホアニリノ−４−ビス（ヒドロキシエチル）アミノ−１，３，５−トリアジニル−６−アミノ］スチルベン−２，２’−ジスルホン酸＝四ナトリウム塩、４，４’−ビス［２−（２，５−ジスルホアニリノ）−４−フェノキシアミノ−１，３，５−トリアジニル−６−アミノ］スチルベン−２，２’−ジスルホン酸＝六ナトリウム塩、４，４’−ビス［２−（２，５−ジスルホアニリノ）−４−（ｐ−メトキシカルボニルフェノキシ）アミノ−１，３，５−トリアジニル−６−アミノ］スチルベン−２，２’−ジスルホン酸＝六ナトリウム塩、４，４’−ビス［２−（ｐ−スルホフェノキシ）−４−ビス（ヒドロキシエチル）アミノ−１，３，５−トリアジニル−６−アミノ］スチルベン−２，２’−ジスルホン酸＝四ナトリウム塩、４，４’−ビス［２−（２，５−ジスルホアニリノ）−４−ホルマリニルアミノ−１，３，５−トリアジニル−６−アミノ］スチルベン−２，２’−ジスルホン酸＝六ナトリウム塩、４，４’−ビス［２−（２，５−ジスルホアニリノ）−４−ビス（ヒドロキシエチル）アミノ−１，３，５−トリアジニル−６−アミノ］スチルベン−２，２’−ジスルホン酸＝六ナトリウム塩等を挙げることができる。
【００４６】
上述した顕色剤、画像安定剤、増感剤、填料、分散剤、酸化防止剤、減感剤、
粘着防止剤、消泡剤、光安定剤、蛍光増白剤等は、それぞれ１種単独あるいは２種以上を混合して使用することができる。それぞれの使用量は、発色性染料１重量部に対して、通常０．１〜１５重量部、好ましくは１〜１０重量部の範囲である。
【００４７】
本発明の記録シートは、基材シート上に、本発明の記録材料を用いて形成されてなる記録材料層を有する。基材シートとしては、紙基材シート、合成樹脂フィルム又は合成樹脂シート等を挙げることができる。紙基材シートとしては、例えば、薄葉紙、クラフト紙、チタン紙、リンター紙、板紙、上質紙、コート紙、アート紙、硫酸紙、グラシン紙、パーチメント紙、パラフィン紙、再生紙等を挙げることができる。合成樹脂フィルム又は合成樹脂シートとしては、例えば、ポリエチレン、ポリプロピレン、ポリ塩化ビニル、ポリ塩化ビニリデン、エチレン−酢酸ビニル共重合体、エチレン−ビニルアルコール共重合体、ポリエチレンテレフタレート、ポリブチレンテレフタレート、ポリエチレンナフタレート、ポリメタクリル酸メチル、ポリアクリル酸メチル、ポリメタクリル酸エチル、ポリスチレン、三酢酸セルロース、セロハン、ポリカーボネート等のフィルム又はシートを挙げることができる。これらの中でも、紙基材シートの使用が好ましい。基材シートの厚みは特に制限はないが、通常１〜５００μｍ程度である。
【００４８】
記録材料層は、例えば、記録材料の溶液又は分散液を基材シート上に公知の塗工法により塗工することにより形成することができる。塗工量は、記録材料の溶液又は分散液の濃度にもよるが、通常乾燥後で０．１〜１００ｇ／ｍ2、好ましくは１〜２０ｇ／ｍ2の範囲である。本発明の記録材料の溶液又は分散液を基材シート上に塗布する方法としては、例えば、ロールコート法、カーテンフローコート法、マイヤバーコート法、リバースコート法、グラビアコート法、グラビアリバースコート法、エアーナイフコート法、キスコート法、ブレードコート法、スムーズコート法、ロールナイフコート法等を挙げることができる。
【００４９】
さらに、記録材料層は基材シート上に直接形成されてもよいし、例えばアンカーコート層等の他の層を介在させて形成することもできるし、記録材料層上にさらに保護層を形成することもできる。かかるアンカーコート層及び保護層は、公知の合成樹脂の１種又は２種以上を含む溶液又は分散液から形成でき、前述の他の顕色剤、他の画像安定剤、増感剤、填料、分散剤、酸化防止剤、減感剤、粘着防止剤、消泡剤、光安定剤、蛍光増白剤等を必要に応じて含有させることができる。
【００５０】
これらの中でも、本発明の記録シートは、感熱記録紙や感圧複写紙であるのが好ましい。感熱記録紙は、例えば、発色性染料の微粒子及び記録材料の微粒子をそれぞれポリビニルアルコールやセルロース等の水溶性結合剤の水溶液中に分散させて分散液を調製し、得られた分散液を基材シート上に塗布し、乾燥することにより製造することができる。
【００５１】
また、感圧複写紙は、例えば、公知の方法によりマイクロカプセル化した発色性染料を適当な分散剤によって分散させ発色性染料分散液を調製し、該分散液を第１の紙基材シート上に塗布して発色性染料シートを作製し、一方、顕色剤の分散液を第２の紙基材シートに塗布して顕色剤シートを作製し、得られた両シートを組合せて感圧複写紙を製造することができる。その際、本発明の記録材料を発色性染料分散液若しくは顕色剤の分散液のいずれか又は両方の分散液中に分散させる。
【００５２】
感圧複写紙は、発色性染料の有機溶媒溶液を内包するマイクロカプセルが下面に塗布担持されてなる上用紙と、顕色剤（酸性物質）が上面に塗布担持されてなる下用紙とからなるユニットからなっていてもよく、あるいは、発色性染料の有機溶媒溶液を内包するマイクロカプセルと顕色剤とが同一の紙面に塗布されてなるいわゆるセルフコンテントペーパーであってもよい。顕色剤としては、前記感圧記録材料用の顕色剤として用いることができるものとして列記したものと同様なものを挙げることができる。
【実施例】
【００５３】
以下、実施例により本発明をより具体的に説明するが、本発明の技術的範囲はこれらの例示に限定されるものではない。
［実施例１］
（感熱記録紙の作製）
・染料分散液（A液）
３−ジ−ｎ−ブチルアミノ−６−メチル−７−アニリノフルオラン      １６部
ポリビニルアルコール１０％水溶液                                  ８４部
・顕色剤分散液（B液）
４’−ヒドロキシ−２−[（４−ヒドロキシフェニル）スルファニル]アセトアニリド
【００５４】
【化１３】
2007050516.tif 000036
１６部
【００５５】
ポリビニルアルコール１０％水溶液                                ８４部
・助剤分散液（Ｃ液）
ｐ−アセトトルイジド                                            １６部
ポリビニルアルコール１０％水溶液                                ８４部
・填料分散液（Ｄ液）
炭酸カルシウム                                              ２７．８部
ポリビニルアルコール１０％水溶液                            ２６．２部
水                                                              ７１部
【００５６】
まずＡ〜D液の各組成の混合物をそれぞれサンドグラインダーで充分に摩砕して、Ａ〜D液の各成分の分散液を調製し、Ａ液１重量部、Ｂ液２重量部、Ｃ液１重量部、Ｄ液４重量部を混合して塗布液とした。この塗布液をワイヤーロッド（Webster社製、ワイヤーバーNo.12）を使用して白色紙に塗布・乾燥した後、カレンダー掛け処理をして、感熱記録紙を作製した（塗布量は乾燥重量で約５．５ｇ／m２）。
【００５７】
［実施例２］
実施例１の助剤分散液（Ｃ液）中、ｐ−アセトトルイジドの代わりにｏ−トルエンスルホンアミドを用いた以外は、実施例１に記載の方法で感熱紙を作製した。
【００５８】
［実施例３］
実施例１の助剤分散液（Ｃ液）中、ｐ−アセトトルイジドの代わりにジフェニルスルホンを用いた以外は、実施例１に記載の方法で感熱紙を作製した。
【００５９】
［比較例１］
実施例１の助剤分散液（Ｃ液）中、ｐ−アセトトルイジドの代わりにシュウ酸ジ（４−メチルベンジル）を用いた以外は、実施例１に記載の方法で感熱紙を作製した。
【００６０】
［試験例１］
（動的発色感度）
実施例1、２及び比較例1で作製した感熱記録紙について、感熱紙発色試験装置（大倉電機製 TH-PMD型）を使用し、1ドットあたり０．３２、０．４４ｍｊの各条件で発色させ、その印字濃度をマクベス反射濃度計（Macbeth社製、RD-514）で測定した。その結果を第１表及び第１図に示した。
【００６１】
【表１】
2007050516.tif 000037
【００６２】
［試験例２］
（地肌耐熱性）
実施例1〜３及び比較例1で作製した感熱記録紙の一部を切り取り、恒温器（商品名：ＤＫ−４００，ＹＡＭＡＴＯ製）中で８０℃、９０℃、１００℃、１１０℃の温度で２４時間保持した後、各試験紙の地肌濃度（マクベス値）を測定した。その結果を第２表にまとめて示した。
【００６３】
【表２】
2007050516.tif 000038
【００６４】
［試験例３］
（画像保存性）
実施例1〜３及び比較例1で作製した感熱記録紙について、感熱紙発色試験装置（大倉電機製 TH-PMD型）を使用し、1ドットあたり０．７２ｍｊの条件で市松模様に飽和発色させた。次いで、各試験紙について以下の各条件で保存性試験を行った。試験前後の画像光学濃度をマクベス反射濃度計（Macbeth社製、型番：RD-514、使用フィルター：＃１０６）で測定した。その結果を第３表にまとめて示した。
・耐湿熱性
耐湿熱性試験機（二葉科学製）を使用して５０℃、相対湿度８０％の条件で２４時間保持した。
・耐熱性
恒温器（商品名：ＤＫ−４００，ＹＡＭＡＴＯ製）中で９０℃の温度で２４時間保持した。
・耐可塑剤性
各試験紙の発色面及び裏面に塩化ビニルラップフィルムを密着させ、その状態のまま、４０℃で２時間保持した。
【００６５】
【表３】
2007050516.tif 000039
【図面の簡単な説明】
【００６６】
【図１】動的発色感度の比較試験（試験例１）の結果を示す図である。
【図１】
2007050516.tif 000044